(57)【特許請求の範囲】
【請求項１】
モータや、モータによって駆動される駆動部等の内装品を内装したハウジングを弾性の異なる軟質及び硬質の２種類のハウジング材によって一体に成形し、軟質ハウジング材をハウジング内面に成形すると共に上記軟質ハウジング材で内装品を保持した手持ち工具であって、ハウジングは、先端側に駆動部によってモータの回転駆動が伝達される出力部を備えた本体部分と、該本体部分から突出する把持部分を備え、本体部分の基端部分にモータを内装すると共に該本体部分の基端部分の外面を被覆する軟質ハウジング材を設け、該軟質ハウジング材は硬質ハウジング材に設けた貫通孔を貫通して硬質ハウジング材の内方に突出する突起を有し、該突起でモータを保持したことを特徴とする手持ち工具。
【請求項２】
ハウジング外面のうち把持する部位に軟質ハウジング材を成形したことを特徴とする請求項１に記載の手持ち工具。
【請求項３】
ロータ及び界磁磁石から成る界磁部とブラシ及び整流子から成る整流部とを別体にして構成したモータでは上記界磁部及び整流部の少なくともいずれかを上記ハウジング内面に成形した軟質ハウジング材で保持したことを特徴とする請求項１又は請求項２に記載の手持ち工具。
【請求項４】
モータの回転軸に従動回転する駆動軸と、上記駆動軸と係合して駆動軸の周面に沿うように配置されると共に出力部に連結するハンマと、上記駆動軸とハンマとの間に配設されてハンマを出力部方向に付勢するバネとで駆動部を構成すると共に、ハンマと出力部との連結構造を一定の回転トルクでハンマが出力部から外れると共に上記バネに付勢されたハンマが出力部に再係合するような係合構造にし、上記バネで付勢されたハンマの出力部への係脱に伴う当接により出力部に先端方向への衝撃を伴った回転駆動をさせるようにし、上記ハンマに係合した駆動軸をハウジング内面に備えた軸受けに回転自在に軸支させると共に上記軸受けのハウジング内面への設置部分における少なくともハウジング内面の出力部に対向する面に軟質ハウジング材を成形したことを特徴とする請求項１乃至請求項３のいずれか１項に記載の手持ち工具。
【請求項５】
１対のハウジング半体を対向させてねじ止めさせることで一体化してハウジングを形成し、上記１対のハウジング半体のねじ止め部分に軟質ハウジング材を成形したことを特徴とする請求項１乃至請求項４のいずれか１項に記載の手持ち工具。
【請求項６】
電動駆動するモータの通電をオンオフするスイッチをハウジングに内装し、上記スイッチを軟質ハウジング材で保持したことを特徴とする請求項１乃至請求項５のいずれか１項に記載の手持ち工具。
【請求項７】
電源からスイッチを介してモータに給電するリード線をハウジングに内装し、上記リード線の少なくとも１箇所を軟質ハウジング材で保持したことを特徴とする請求項６に記載の手持ち工具。
【請求項８】
電源をハウジングに着脱自在にした充電式電池で構成し、モータ及びスイッチに電気的に接続すると共に上記充電式電池の端子部に接触した導電端子を軟質ハウジング材で保持したことを特徴とする請求項６又は請求項７に記載の手持ち工具。
【発明の詳細な説明】
【０００１】
【発明の属する技術分野】
本発明は、ボルト、ナット、あるいは木ねじ等の締めつけ作業、金工、木工、モルタル、コンクリート等の穴あけ作業や切断作業等に用いられる手持ち工具に関する発明である。
【０００２】
【従来の技術】
従来から、ボルト、ナット、あるいは木ねじ等の締めつけ作業、金工、木工、モルタル、コンクリート等の穴あけ作業や切断作業等に用いられる手持ち工具は、モータ、工具を取り付ける出力部、モータの駆動力を出力部に伝達させる駆動部等をハウジング１に内装させて構成されるものである。上記ハウジング１には落下などによる強い衝撃外力がかかるものであることから、ハウジング１を硬質・軟質の２種類のハウジング材１ａ，１ｂで成形させると共にハウジング１の外面に軟質ハウジング材１ａを成形し、上記軟質ハウジング材１ａに衝撃外力に対するクッション材の役割を持たせている。これによって衝撃外力からハウジング１自体やハウジング１に内装したモータ等の内装品Ａの保護を図っているのである。（図１０，図１１）なお、ハウジング１の外面のうち使用者が把持する部分に成形された軟質ハウジング材１ａにおいては、上記クッション材の役割の他に良好な把持感や滑り止めなどの役割も持たせている。ここで、軟質・硬質の２種類のハウジング材１ａ，１ｂで一体に成形されたハウジング１にあっては、上記２種類のハウジング材１ａ，１ｂの接着性の向上を図るために、硬質ハウジング材１ｂの一部に表裏方向への貫通孔１８を形成すると共に上記貫通孔１８に軟質ハウジング材１ａを充填させるように成形したものもある。（図１２）
【０００３】
【発明が解決しようとする課題】
ところで、上記手持ち工具の使用時においては、内装品Ａは出力部に取り付けた工具を通じて被作業部材から衝撃的な反力、つまり衝撃内力を受けることがある。そして、上記衝撃内力を受けた内装品Ａにおいてはハウジング１内面に強く押し当てられたり衝撃をもって当接されるものであって、このように内装品Ａがハウジング１内面に強く押し当てられると、その部位のハウジング１や内装品Ａの耐久力を低下させてしまうものであり、手持ち工具の耐久性能を低下させるに至るものであった。
【０００４】
本発明は上記の点に鑑みてなされたものであり、ハウジングに内装される内装品やハウジングの耐久性能の向上を図った手持ち工具を提供することを課題とするものである。
【０００５】
【課題を解決するための手段】
上記課題を解決するために本発明の請求項１に係る手持ち工具は、モータ３や、モータ３によって駆動される駆動部４等の内装品を内装したハウジング１を弾性の異なる軟質及び硬質の２種類のハウジング材１ａ，１ｂによって一体に成形し、軟質ハウジング材１ａをハウジング１内面に成形すると共に上記軟質ハウジング材１ａで内装品を保持した手持ち工具であって、ハウジング１は、先端側に駆動部４によってモータ３の回転駆動が伝達される出力部５を備えた本体部分２４と、該本体部分２４から突出する把持部分２５を備え、本体部分２４の基端部分にモータ３を内装すると共に該本体部分２４の基端部分の外面を被覆する軟質ハウジング材１ａを設け、該軟質ハウジング材１ａは硬質ハウジング材１ｂに設けた貫通孔１８を貫通して硬質ハウジング材１ｂの内方に突出する突起３１を有し、該突起３１でモータ３を保持したことを特徴とする。これにより、内装品がハウジング１内面に成形した軟質ハウジング材１ａにより保持されたことで、被作業部材から受ける衝撃的な反力が衝撃内力として内装品にかかって上記衝撃内力が内装品をハウジング１内面に強く当接させた場合にも、上記軟質ハウジング材１ａがクッション材としての機能を果たし、内装品におけるハウジング１内面への衝撃を伴った強い当接を緩衝させることができ、内装品やハウジング１の破損等を避けて手持ち工具の耐久性能を向上させることができるものである。また、ハウジング１を形成する硬質ハウジング材１ｂに貫通孔１８を設けると共に上記貫通孔１８に軟質ハウジング材１ａを成形したことにより、硬質ハウジング材１ｂと軟質ハウジング材１ａとでハウジング１を一体に形成させた際に硬質ハウジング材１ｂと軟質ハウジング材１ａとの接着強度の向上を図ることができる。また、ハウジング１外面に軟質ハウジング材１ａを成形したことにより、ハウジング１外面に成形した軟質ハウジング材１ａにおいては落下等でハウジング１にかかる衝撃外力に対するクッション材としての機能を果たすものであり、衝撃外力に対するハウジング１の耐衝撃性能を向上させて手持ち工具の耐久性能を向上させることができる。また、ハウジング１内面に成形した軟質ハウジング材１ａがモータ３を保持したことにより、モータ３を保持した軟質ハウジング材１ａはクッション材としての機能を果たしてモータ３の振動を吸収させたり、モータ３の振動による騒音の発生を軽減させたりできる。
【０００６】
また、請求項２に係る手持ち工具は、請求項１において、ハウジング１外面のうち把持する部位に軟質ハウジング材１ａを成形したことを特徴とする。これにより、ハウジング１外面のうち把持する部位に成形された軟質ハウジング材１ａにおいては、使用者の把持する手に合わせて弾性変形をするものであり、使用者にフィット感を伴う良好な把持感を提供できると共に滑り止めの効果も図ることができる。
【０００７】
また、請求項３に係る手持ち工具は、請求項１又は請求項２において、ロータ６及び界磁磁石７から成る界磁部８とブラシ９及び整流子１０から成る整流部１１とを別体にして構成したモータ３では、上記界磁部８及び整流部１０の少なくともいずれかを上記ハウジング１内面に成形した軟質ハウジング材１ａで保持したことを特徴とする。これにより、ロータ６及び界磁磁石７から成る界磁部８とブラシ９及び整流子１０から成る整流部１１とが別体に設けられたモータ３であっても、特に整流部１１や界磁部８で生じるモータ３の振動をクッション材として機能させた軟質ハウジング材１ａで緩衝させることができ、有効にモータ３の振動を吸収させたりモータ３の振動による騒音の発生を軽減させたりできる。
【０００８】
また、請求項４に係る手持ち工具は、請求項１乃至３のいずれか１項において、モータ３の回転軸１２に従動回転する駆動軸１３と、上記駆動軸１３と摺動自在に係合して駆動軸１３の周面に沿うように配置されると共に出力部５に連結するハンマ１４と、上記駆動軸１３とハンマ１４との間に配設されてハンマ１４を出力部５方向に付勢するバネ１５とで駆動部４を構成すると共に、ハンマ１４と出力部５との連結構造を一定の回転トルクでハンマ１４が出力部５から外れると共に上記バネ１５に付勢されたハンマ１４が出力部５に再係合するような係合構造にし、上記バネ１５で付勢されたハンマ１４の出力部５への係脱に伴う当接により出力部５に先端方向への衝撃を伴った回転駆動をさせるようにし、上記ハンマ１４に係合した駆動軸１３をハウジング１内面に備えた軸受け１６に回転自在に軸支させると共に上記軸受け１６のハウジング１内面への設置部分における少なくともハウジング１内面の出力部５に対向する面に軟質ハウジング材１ａを成形したことを特徴とする。この駆動軸１３と一体に回転したハンマ１４を出力部５と係合させ、上記係合構造を一定の回転トルクでハンマ１４が出力部５から外れると共に上記バネ１５に付勢されたハンマ１４が出力部５に再係合するようにした手持ち工具は、いわゆる出力部５が先端方向への衝撃を伴って回転駆動するインパクト工具であり、上記インパクト工具の内装品においては、ハンマ１４が出力部５に先端方向の衝撃を与えたことに対する反力、つまり基端方向への衝撃内力がかかるものであるが、ハンマ１４に係合した駆動軸１３をハウジング１内面に備えた軸受け１６に回転自在に軸支させると共に上記軸受け１６のハウジング１内面への設置部分における少なくともハウジング１内面の出力部５に対向する面に軟質ハウジング材１ａを成形したことで、上記軟質ハウジング材１ａをクッション材として機能させて駆動軸１３から軸受け１６にかかる基端方向への衝撃内力を上記軟質ハウジング材１ａで緩衝させることができ、インパクト工具の内装品に特有である基端方向の衝撃内力に対する内装品やハウジング１の耐衝撃性能の向上を図ることができるものである。
【０００９】
また、請求項５に係る手持ち工具は、請求項１乃至請求項４のいずれか１項において、１対のハウジング半体２を対向させてねじ止めさせることで一体化してハウジング１を形成し、上記１対のハウジング半体２のねじ止め部分に軟質ハウジング材１ａを成形したことを特徴とする。これにより、１対のハウジング半体２を対向させてねじ止めさせることで一体化したハウジング１においては、落下時の衝撃外力や内装品を伝播する衝撃内力がかかるものであり、上記１対のハウジング半体２同士を連結させるねじ具１９に上記荷重が集中してねじ具１９を揺さぶるものであるが、ハウジング１のねじ止め部分に軟質ハウジング材１ａを成形したことで、ねじ具１９をぐらつきなく軟質ハウジング材１ａで保持させることができてねじ具１９の抜け落ちが防止されるものであって、手持ち工具の耐久性能の向上を図ることができる。
【００１０】
また、請求項６に係る手持ち工具は、請求項１乃至請求項５のいずれか１項において、電動駆動するモータ３の通電をオンオフするスイッチ２０をハウジング１に内装し、上記スイッチ２０を軟質ハウジング材１ａで保持したことを特徴とする。これにより、元来衝撃に対して弱い部品であるスイッチ２０をクッション材の役割を持たせた軟質ハウジング材１ａで保持したので、スイッチ２０の耐衝撃性能を向上させて手持ち工具の耐久性能を向上させることができる。
【００１１】
また、請求項７に係る手持ち工具は、請求項６において、電源からスイッチ２０を介してモータ３に給電するリード線２１をハウジング１に内装し、上記リード線２１の少なくとも１箇所を軟質ハウジング材１ａで保持したことを特徴とする。これにより、リード線２１に伝播した衝撃をクッション材の役割を持たせた軟質ハウジング材１ａによって緩衝させることができ、特にリード線２１と電気機器との接点部分への衝撃の負荷を低減させることができてリード線２１の断線を防止して安定した電気回路を形成させることができる。
【００１２】
また、請求項８に係る手持ち工具は、請求項６又は請求項７において、電源をハウジング１に着脱自在にした充電式電池２２で構成し、モータ３及びスイッチ２０に電気的に接続すると共に上記充電式電池２２の端子部２２ａに接触した導電端子２３を軟質ハウジング材１ａで保持したことを特徴とする。これにより、導電端子２３をクッション材の役割を持たせた軟質ハウジング材１ａで保持したので、充電式電池２２の着脱の際等に導電端子２３にかかる衝撃を上記軟質ハウジング材１ａで吸収しながら確実に充電式電池２２の端子部２２ａと導電端子２３との接触を行わせることができ、充電式電池２２の端子部２２ａと導電端子２３との接触不良を無くしてアークの発生を防止することができる。
【００１３】
【発明の実施の形態】
以下、本発明を添付図面に示す実施形態に基づいて説明する。
【００１４】
図１乃至７に本発明の実施の形態の例を示す。この手持ち工具は、水平円筒状の本体部分２４と上記本体部分２４の下縁から下方に垂下する把持部分２５を備えたハウジング１を有し、上記ハウジング１の本体部分２４にその先端側から出力部５、駆動部４、モータ３を内装し、上記ハウジング１の把持部分２５に電動駆動するモータ３の通電をオンオフをするスイッチ２０を内装し、上記ハウジング１の把持部分２５の下端に着脱自在の充電式電池２２を備えて構成されたものである。ここで、出力部５にはドリルやドライバー等の工具を装着させるチャック２６が備えられ、駆動部４はモータ３の回転駆動を出力部５に伝達させる機構で構成され、また、モータ３は電動式であり、スイッチ２０を介して充電式電池２２とリード線２１で電気的接続が為されている。上記ハウジング１内に内装される内装品はハウジング１の内部空間を区切るようにハウジング１内面に形成されたリブ等で適所に位置決めされて内装されるようになっている。なお、上記スイッチ２０はハウジング１の本体部分２４と把持部分２５との連結部分に設けたスイッチハンドル３４により操作されるようになっている。
【００１５】
この手持ち工具のハウジング１は、材質的には硬質及び軟質の２種類のハウジング材１ａ，１ｂで成形されており、構造的には１対のハウジング半体２を対向させてねじ止めさせることで一体化して形成されているものである。なお、２種類のハウジング材１ａ，１ｂにあっては、ハウジング１の主体を硬質ハウジング材１ｂで形成させており、上記硬質ハウジング材１ｂに被着させるように軟質ハウジング材１ａが成形されているものである。ここで、硬質ハウジング材１ｂとは弾性率の大きい、つまり弾性変形しずらい材料で成形されたものであり、軟質ハウジング材１ａとはエラストマー等の弾性率の小さい、つまり弾性変形し易い材料で成形したものである。すなわち、軟質ハウジング材１ａとは弾性変形をすることでクッション材としての機能を果たし得るものなのである。図３にはハウジング１の側面外観図を示すが、ハウジング１の本体部分２４における基端部分を被覆するように、また、ハウジング１の把持部分２５を被覆するように軟質ハウジング材１ａがハウジング１外面に被着成形されている。
【００１６】
このようにハウジング１外面に被着成形した軟質ハウジング材１ａにあっては、手持ち工具を落下させた際にハウジング１にかかる衝撃外力を吸収させるクッション材として機能するものであり、ハウジング１自身や内装品の破損等を避けるようにして衝撃外力に対する耐久性能を向上させる役割を担っている。また、特に、ハウジング１外面に被着成形した軟質ハウジング材１ａのうちハウジング１の把持部分２５に被着成形した軟質ハウジング材１ａにあっては、上記衝撃外力を吸収させるクッション材としての機能の他に、使用者の把持する手になじませるように弾性変形をさせ、使用者にフィット感を伴う良好な把持感を感じさせると共に滑り止めとしての機能を持たせているものである。なお、ハウジング１外面に軟質ハウジング材１ａを成形させたハウジング１の本体部分２４の基端部分は、重量のあるモータ３が内装される部位であるから手持ち工具を落下させた際には地面等に衝撃をもってぶつかることが多いと予期される部位であり、つまり、上記部位にクッション材としての軟質ハウジング材１ａを設けたことは手持ち工具の衝撃外力に対する耐久性能の向上を有効に図り得るものなのである。また、１対のハウジング半体２同士をねじ止めする部分にあっては、１対のハウジング半体２のうち軟質ハウジング材１ａで成形した部分において為されるようにしてある。つまり、図６に示すようにねじ具１９の雄ねじ部分２７を軟質ハウジング材１ａに形成した雌ねじ部分２８に螺合させるようにしたものであって、ねじ具１９を軟質ハウジング材１ａでぐらつきなく保持できてねじ具１９の抜け落ちが防止されるものであって、手持ち工具の耐久性能の向上を図っているものである。
【００１７】
また、この軟質ハウジング材１ａはハウジング１内面における適所に被着成形させている。つまり、従来の技術同様に、ハウジング１を形成する硬質ハウジング材１ｂの適所にはハウジング１の内外に貫通した貫通孔１８を設けており、ハウジング１外面に被着成形した軟質ハウジング材１ａを上記貫通孔１８に充填させるようにして貫通させ、ハウジング１内面にも被着成形されるようにしてある（図１２参照）。ここで、ハウジング１内面に被着成形される軟質ハウジング材１ａの適所位置とは、ハウジング１に内装される内装品との兼ね合いで決定されるものであって、以下に記すハウジング１の内装品の説明中において適宜説明していくこととする。なお、本例では手持ち工具として、出力部５が先端方向への衝撃を伴って回転駆動するようにしたインパクト工具を例に挙げて説明する。
【００１８】
本例のモータ３は、ロータ６及び界磁磁石７から成る界磁部８とブラシ９及び整流子１０から成る整流部１１とを別体にして構成されたものであって、整流部１１をハウジング１の本体部分２４の基端側に配置すると共に界磁部８をハウジング１の本体部分２４の先端側に配置している。そして、ロータ６の回転軸１２の先端を駆動部４に位置させるようにすると共にピニオン２９を装着させている。ここで、ブラシ９にはブラシ９を保護するブラシホルダ３０が備えられているが、このブラシホルダ３０はハウジング１内面に被覆成形された軟質ハウジング１ａにより保持されている。詳述すると、図５に示すように、ハウジング１外面に被着された軟質ハウジング材１ａにあってはハウジング１の主体を構成する硬質ハウジング材１ｂに設けた１対の貫通孔１８からハウジング１内方に１対の突起３１を並設するように成形されており、上記軟質ハウジング材１ａの１対の突起３１がブラシホルダ３０の端縁部分を挟持させるようにしてブラシホルダ３０を保持しているのである。このようにモータ３の整流部１１を軟質ハウジング材１ａで保持したことで、特に、回転軸１２と共に回転する整流子１０に接触させるブラシ９に生じる振動を上記軟質ハウジング材１ａによって吸収させ、モータ３の振動や上記振動に伴う騒音の発生を低減させているものである。なお、モータ３の界磁部８を軟質ハウジング材１ａで保持することも好ましく、このようにすると、界磁部８に生じるモータ３の振動を吸収させ、モータ３の振動や上記振動に伴う騒音の発生を低減させることができるものである。
【００１９】
駆動部４は減速装置とインパクト装置とで構成されている。減速装置は遊星歯車減速装置を採用している。つまり、上記減速装置は、モータ３のピニオン２９を太陽歯車として機能させると共に上記ピニオン２９と上記ハウジング１内面に固定した内歯車３３とにそれぞれ噛合させた複数個の遊星歯車３２を備え、上記複数個の遊星歯車３２の回転軸３２ａを駆動軸１３に一体に形成して構成されている。なお、この駆動軸１３はハウジング１の本体部分２４に先端−基端方向に向けて配置されるものであって、先端側を出力部５に回転自在に保持させると共に基端側をハウジング１内面に設置した軸受け１６に回転自在に保持させている。この減速装置によると、モータ３の回転駆動が駆動軸１３に高回転トルクの減速回転として伝達されるようになっている。一方、インパクト装置は、上記駆動軸１３と係合して駆動軸１３の周面に沿うように配置すると共に出力部５に連結されるハンマ１４と、駆動軸１３の基端側に設けたひれ部１３ａと上記ハンマ１４との間に配設してハンマ１４を出力部５方向に付勢するバネ１５とで構成されている。ここで、ハンマ１４と駆動軸１３との係合構造は、駆動軸１３に回転自在に設けたボール３５がハンマ１４の先端−基端方向に設けた溝３６に転動する構造になっており、ハンマ１４が駆動軸１３に対して先端−基端方向に摺動自在に係合されつつ、ハンマ１４が駆動軸１３と一体に回転し得るような構造になっている。また、ハンマ１４と出力部５との連結構造は、ハンマ１４及び出力部５の対向面に突起（図示せず）がそれぞれ設けられており、この突起同士を滑り接触させて係合させると共に一定の回転トルクがかかると上記突起同士の係合が外れ得るような構造になっている。ここで、突起同士の係合が外れる際には、一方の突起が他方の突起を乗り越えるようにして行われるものであって、つまり突起同士が乗り上げると、ハンマ１４が上記突起同士の乗り上げ分バネ１５に抗って基端方向にスライドするものである。そして、上記突起同士の係脱の瞬間に、バネ１５により出力部５方向に付勢されたハンマ１４は上記バネ１５に抗ってスライドした分先端側に勢い良く戻り出力部５を叩くような動作をするのである。すなわち、上述したような減速装置及びインパクト装置を備えた駆動部４にあっては、モータ３の回転駆動により出力部５に先端方向への衝撃を伴った回転を行わせるようにしているのである。
【００２０】
さて、上述したインパクト装置を備えた駆動部４においては、出力部５に先端方向への衝撃を与えるようにハンマ１４が出力部５を叩いたとき、上記ハンマ１４には出力部５からの基端方向への衝撃的な反力が瞬間的に加えられる。また、駆動部４には出力部５の工具を介して被作業部材から回転方向への衝撃内力が加えられる。つまり、本例のインパクト工具における駆動部４には、回転方向の衝撃内力に加えて基端方向の衝撃内力がかかるものであるが、この駆動部４においては上記衝撃内力に対する耐衝撃性能を向上させる構造が採用されている。つまり、駆動部４の構成品である駆動軸１３はその基端側でハウジング１内面に設置した軸受け１６に回転自在に軸支されているが、この軸受け１６を設置したハウジング１内面部分におけるハウジング１内面の出力部５に対向する面に軟質ハウジング材１ａを成形させ、上記軟質ハウジング材１ａに駆動軸１３の基端部分を近接させると共にピニオン２９の周面部分を近接させた構造が採られているのである。上述したように軟質ハウジング材１ａはクッション材として機能することから、上記軟質ハウジング材１ａは駆動軸１３を介して受ける基端方向への衝撃内力やピニオン２９を介して受ける回転方向への衝撃内力をそれぞれ緩衝させているものであって、すなわち、駆動部４等の内装品及びハウジング１の衝撃内力に対する耐衝撃性能の向上が図られているのである。
【００２１】
なお、上記インパクト工具の内装品としては、上述した駆動部４やモータ３の他に、ハウジング１の把持部分２５に内装されるスイッチ２０や上記スイッチ２０を介して電源からモータ３に給電するリード線が２１あるが、このスイッチ２０やリード線に２１おいてもそれぞれハウジング１内面に成形された軟質ハウジング材１ａで保持されている。つまり、スイッチ２０は元来衝撃に対して弱い部品であるが、上記スイッチ２０をクッション材の役割を持たせた軟質ハウジング材１ａで保持したので、スイッチ２０の耐衝撃性能を向上させて手持ち工具の耐久性能の向上が図られているのである。また、リード線２１もクッション材の役割を持たせた軟質ハウジング材１ａで保持したので、リード線２１に伝播した衝撃を緩衝させ、特にリード線２１と電気機器との接点部分への衝撃の負荷を低減させてリード線２１の断線の防止が図られて安定した電気回路の形成が図られているのである。
【００２２】
また、上記インパクト工具にあっては、電源として着脱式の充電式電池２２をハウジング１の把持部分２５の下端に備えるものであるが、図７に示すように、モータ３に給電するリード線２１に繋がると共に上記充電式電池２２の端子２２ａ部に接触させる導電端子２３がハウジング１内面に成形した軟質ハウジング材１ａで保持されている。これにより、充電式電池２２のハウジング１への着脱の際やハウジング１の落下の際に導電端子２３に衝撃がかかった場合においても、上記導電端子２３にかかる衝撃を軟質ハウジング材１ａで吸収しながら確実に充電式電池２２の端子部２２ａと導電端子２３との接触を行わせるものであり、充電式電池２２の端子部２２ａと導電端子２３との接触不良を無くしてアークの発生の防止が図られているのである。
【００２３】
図８乃び図９は参考例を示すものである。この例は、駆動部４を減速機構で構成すると共に出力部５に高トルクの回転駆動のみをさせるようにした手持ち工具である。なお、本例の手持ち工具にあっては、モータ３は整流部１１や界磁部８を一体に形成したものを用いると共に、駆動部４はモータ３の回転駆動を出力部５に伝達させる複数の歯車列を内装したギアボックス１７を有したものを用いている。つまり、本例の手持ち工具にあっては、組立て性を向上させることを期してユニット化した内装品をハウジング１内に組み込んで形成したものである。
【００２４】
本例の手持ち工具の駆動部４にあっては、出力部５に備えたチャック２６に装着した工具を介して被作業部材から出力部５の回転方向と反対方向の衝撃的な反力を受けるものである。駆動部４を構成するギアボックス１７は、図９に示すように、ギアボックス１７外面とハウジング１内面との間に配置した位置決めボス３７によってハウジング１によりギアボックス１７が挟持固定されるようにし、駆動部４をハウジング１に内装させている。ここで、ギアボックス１７の周囲にあるハウジング１内面の複数箇所ではギアボックス２９の外面に弾接させるように軟質ハウジング材１ａを成形してあり、つまり、上記ギアボックス１７は軟質ハウジング材１ａにより出力部５の回転方向である周方向に保持されているものである。このようにしたことで、上記軟質ハウジング材１ａは上記衝撃内力と同方向にギアボックス１７を保持するものであり、ギアボックス１７に作用する衝撃内力を有効に緩衝させ、ギアボックス１７やハウジング1の破損等を避けるようにして手持ち工具の耐久性能の向上を図っているのである。
【００２５】
【発明の効果】
上記のように本発明の請求項１記載の手持ち工具にあっては、モータや、モータの駆動によって駆動される駆動部等の内装品を内装したハウジングを弾性の異なる軟質及び硬質の２種類のハウジング材によって一体に成形し、軟質ハウジング材をハウジング内面に成形すると共に上記軟質ハウジング材で内装品を保持したので、被作業部材から受ける衝撃的な反力が衝撃内力として内装品にかかって上記内装品をハウジング内面に強く当接させた場合にも、上記軟質ハウジング材がクッション材としての機能を果たし、内装品におけるハウジング内面への衝撃を伴った強い当接を緩衝させるものであり、内装品やハウジングの破損等を避けて手持ち工具の耐久性能を向上させることができるものである。また、ハウジングを形成する硬質ハウジング材の適所に貫通孔を設けると共に上記貫通孔に軟質ハウジング材を成形したので、硬質ハウジング材と軟質ハウジング材とでハウジングを一体に形成させた際に硬質ハウジング材と軟質ハウジング材との接着強度の向上を図ることができるものである。また、ハウジング外面に軟質ハウジング材を成形したので、ハウジング外面に成形した軟質ハウジング材においては落下等でハウジングにかかる衝撃外力に対するクッション材の機能を果たすものであり、衝撃外力に対するハウジングの強度を向上させて手持ち工具の耐久性能の向上を図ることができるものである。また、ハウジング内面に成形した軟質ハウジング材がモータを保持したので、モータを保持した軟質ハウジング材はクッション材としての機能を果たし、モータの振動を吸収させたりモータの振動による騒音の発生を軽減させたりできるものである。
【００２６】
また、請求項２に係る手持ち工具にあっては、請求項１の効果に加えて、ハウジング外面のうち把持する部位に軟質ハウジング材を成形したので、ハウジング外面のうち把持する部位に成形された軟質ハウジング材においては使用者の把持する手に合わせて弾性変形をするものであり、使用者にフィット感を伴う良好な把持感を提供できると共に滑り止めの効果も図ることができる。
【００２７】
また、請求項３に係る手持ち工具にあっては、請求項１又は請求項２の効果に加えて、ロータ及び界磁磁石から成る界磁部とブラシ及び整流子から成る整流部とを別体にして構成したモータでは上記界磁部及び整流部の少なくともいずれかを上記ハウジング内面に成形した軟質ハウジング材で保持したので、モータの構成部分うちモータの振動や騒音が生じる部位としては整流部や界磁部が特に挙げられるが、クッション材として機能する軟質ハウジング材によって上記整流部や界磁部を保持させたことで有効にモータの振動や騒音を低減させることができるものである。
【００２８】
また、請求項４に係る手持ち工具にあっては、請求項１乃至請求項３のいずれか１項の効果に加えて、手持ち工具のうち、モータの回転軸に従動回転する駆動軸と、上記駆動軸と摺動自在に係合して駆動軸の周面に沿うように配置されると共に出力部に連結するハンマと、上記駆動軸とハンマとの間に配設されてハンマを出力部方向に付勢するバネとで駆動部を構成すると共に、ハンマと出力部との連結構造を一定の回転トルクでハンマが出力部から外れると共に上記バネに付勢されたハンマが出力部に再係合するような係合構造にし、上記バネで付勢されたハンマの出力部への係脱に伴う当接により出力部に先端方向への衝撃を伴った回転駆動をさせるようにしたインパクト工具において、上記ハンマに係合した駆動軸をハウジング内面に備えた軸受けに回転自在に軸支させると共に、上記軸受けのハウジング内面への設置部分における少なくハウジング内面の出力部に対向する面に軟質ハウジング材を成形したので、上記インパクト工具の内装品にかかる特有のハンマと出力部との係脱動作による基端方向への衝撃内力をクッション材として機能を持たせた軟質ハウジング材で緩衝させることができ、インパクト工具特有の衝撃内力に対する内装品やハウジングの耐久性能の向上を図ることができるものである。
【００２９】
また、請求項５に係る手持ち工具にあっては、請求項１乃至請求項４のいずれか１項の効果に加えて、１対のハウジング半体を対向させてねじ止めさせることで一体化してハウジングを形成し、上記１対のハウジング半体のねじ止め部分に軟質ハウジング材を成形したので、１対のハウジング半体を対向させてねじ止めさせることで一体化したハウジングには、落下時の衝撃外力や内装品を伝播する衝撃内力がかかるものであり、上記１対のハウジング半体同士を連結させるねじ具には上記荷重が集中してかかりねじ具は上記荷重により揺さぶられるものであるが、ハウジングのねじ止め部分に軟質ハウジング材を成形したことでねじ具を上記軟質ハウジング材でぐらつきなく保持できてねじ具の抜け落ちが防止されるものであり、手持ち工具の耐久性能の向上を図ることができる。
【００３０】
また、請求項６に係る手持ち工具にあっては、請求項１乃至請求項５のいずれか１項の効果に加えて、電動駆動するモータの通電をオンオフするスイッチをハウジングに内装し、上記スイッチを軟質ハウジング材で保持したので、元来衝撃に対して弱い部品であるスイッチにかかる衝撃をクッション材の機能を持たせた軟質ハウジング材で緩衝させることができ、ハウジング内に備えたスイッチの耐衝撃性能を向上させて手持ち工具の耐久性能の向上を図ることができるものである。
【００３１】
また、請求項７に係る手持ち工具にあっては、請求項６の効果に加えて、電源からスイッチを介してモータに給電するリード線をハウジングに内装し、上記リード線の少なくとも１箇所を軟質ハウジング材で保持したので、リード線に伝播した衝撃をクッション材の役割を持たせた軟質ハウジング材で緩衝させることができ、特にリード線と電気機器との接点部分への衝撃の負荷を低減させることができてリード線の断線を防止して安定した電気回路を形成させることができるものである。
【００３２】
また、請求項８に係る手持ち工具にあっては、請求項６又は請求項７の効果に加えて、電源をハウジングに着脱自在にした充電式電池で構成し、モータ及びスイッチに電気的に接続すると共に上記充電式電池の端子部に接触した導電端子を軟質ハウジング材で保持したので、充電式電池の着脱の際等に導電端子にかかる衝撃をクッション材の役割を持たせた軟質ハウジング材で緩衝させることができて確実に充電式電池の端子部と導電端子との接触を行わせることができ、充電式電池の端子部と導電端子との接触不良を無くしてアークの発生を防止することができるものである。
【図面の簡単な説明】
【図１】  本発明の実施の形態の例を示す手持ち工具の側面断面図である。
【図２】  同上の１つのハウジング半体を外した状態の手持ち工具の側面図である。
【図３】  同上の手持ち工具の側面図である。
【図４】  図１の一部拡大図である。
【図５】  同上のブラシホルダーを軟質ハウジング材で保持した状態を示すものであって、（ａ）は側面断面図であり、（ｂ）は正面断面図である。
【図６】  同上の１対のハウジング半体同士を締結するねじ止め部分を示す上面断面図である。
【図７】  同上の充電式電池をハウジングの把持部分の下端に装着した状態を示す正面断面図である。
【図８】  参考例を示す手持ち工具の側面断面図である。
【図９】  同上の駆動部部分の正面断面図である。
【図１０】  従来技術を示すものであって、ハウジングに内装品を内装させた状態の例を示す断面図である。
【図１１】  同上のハウジングに内装品を内装させた状態の他例を示す断面図である。
【図１２】  同上の軟質ハウジング材と硬質ハウジング材との接着性を高める技術を示す断面図である。
【符号の説明】
１  ハウジング
１ａ  軟質ハウジング材
１ｂ  硬質ハウジング材
２  ハウジング半体
３  モータ
４  駆動部
５  出力部
８  界磁部
１１  整流部
【図１】
0004284893.tif 000002
【図２】
0004284893.tif 000003
【図３】
0004284893.tif 000004
【図４】
0004284893.tif 000005
【図５】
0004284893.tif 000006
【図６】
0004284893.tif 000007
【図７】
0004284893.tif 000008
【図８】
0004284893.tif 000009
【図９】
0004284893.tif 000010
【図１０】
0004284893.tif 000011
【図１１】
0004284893.tif 000012
【図１２】
0004284893.tif 000013